(57)【要約】      （修正有）【課題】全ての排水トラップに応用できる、サイホン現象によって排水の引き込みが生じても、破封状態を生じることが殆どない排水トラップを提供する。【解決手段】排水機器からの排水が流入する流入口１と、排水を下水側に流出する流出口２と、流入口１から流出口２までの間に形成される排水流路と、排水流路上に設けられる封水部と、から成る排水トラップにおいて、排水流路の、少なくとも封水部Ｔの一部を含む部分を複数に分岐させて分岐流路を形成し、且つ全ての分岐流路を、流出口２に至るまでに一つの流路に合流させ、更に、複数ある分岐流路の少なくとも一つの分岐流路に、その分岐流路の排水性能を、他の分岐流路に比べて低下させる排水性低下構造を設ける。【選択図】図４
2004183336.tif 000002
【特許請求の範囲】
【請求項１】
排水機器からの排水が流入する流入口（１）と、
排水を下水側に流出する流出口（２）と、
流入口（１）から流出口（２）までの間に形成される排水流路と、
排水流路上に設けられる封水部（Ｔ）と、
からなる排水トラップにおいて、
排水流路の、少なくとも封水部（Ｔ）の一部を含む部分を複数に分岐させて分岐流路を形成し、
且つ全ての分岐流路を、流出口（２）に到るまでに一つの流路に合流させ、
更に、複数ある分岐流路の少なくとも一つの分岐流路に、その分岐流路の排水性能を、他の分岐流路に比べて低下させる排水性低下構造を設けたことを特徴とする排水トラップ。
【請求項２】
上記請求項１に記載の排水トラップにおいて、
排水トラップを、
流入口（１）からの排水が下方に向かって流れる第一下り流路（３）と、
第一下り流路（３）下端に連通した、排水が横方向に流れる第一横流路（４）と、
下端において第一横流路（４）に連通した、排水が上方に流れる第一上り流路（５）と、
第一上り流路（５）上端に連通した、排水が横方向に流れる第二横流路（６）と、
から構成し、更に、
下端が第一横流路（４）上の任意の位置に連通して設けられた第二上り流路（７）を設けて排水流路を分岐させ、
上記第二上り流路（７）上端に連通して設けられた、第二横流路（６）と連通する第三横流路（８）を設けて排水流路を合流させたことを特徴とする排水トラップ。
【請求項３】
上記請求項１に記載の排水トラップにおいて、
排水トラップの排水流路を、管体によって構成したことを特徴とする排水トラップ。
【請求項４】
上記請求項１に記載の排水トラップにおいて、
排水トラップを、
上面に流入口（１）を、側面に流出口（２）を、また流入口（１）の直下には有底円筒形状の椀体（１０）を備えたケーシング体（９）と、
上下に開口した円筒体であって、上方の開口は流入口（１）に水密的に連通し、また下方の開口は椀体（１０）内に配置されるパイプ管（１１）と、
から構成し、
更に椀体（１０）内であって、椀体（１０）内の排水流路を二つに分離させる分岐壁（１２）を、椀体（１０）の底面から上端まで設けて排水流路を分岐させた後、椀体（１０）の上端から流出口（２）に到るまでに分岐壁（１２）によって分岐された分岐流路を合流させたことを特徴とする排水トラップ。
【請求項５】
上記請求項２又は請求項３に記載の排水トラップにおいて、排水性低下機構として、
排水性能を低下させる側の分岐流路の、封水部（Ｔ）の上端を、
排水性能を低下させない側の分岐流路の、封水部（Ｔ）の上端よりも高い高さ位置に設けたことを特徴とする排水トラップ。
【請求項６】
上記請求項２又は請求項３に記載の排水トラップにおいて、排水性低下構造として、
排水性能を低下させる分岐流路に、排水が通水可能な面積を減少させる絞り部（１４）を設けたことを特徴とする排水トラップ。
【請求項７】
上記請求項１乃至請求項６のいずれか一つに記載の排水トラップにおいて、排水トラップの流出口（２）を、
複数の排水機器の排水を下水側に排出する床下配管に接続したことを特徴とする排水トラップ。
【発明の詳細な説明】
【０００１】
【発明の属する技術分野】
本発明は、浴槽、流し、洗面台、トイレ傍の手洗い器等、使用によって排水が生じる機器（以下「排水機器」と呼ぶ）の排水を処理する排水装置に関するものであって、更に詳しくは、排水の流路中に、排水の溜まり部分（以下「封水部」と呼ぶ）を設け、該封水部に溜まった排水（以下「封水」と呼ぶ）によって、下水側からの臭気や害虫類が屋内側に侵入することを防止する排水トラップに関するものである。
【０００２】
【従来の技術】
従来より、浴槽、流し、洗面台、トイレ傍の手洗い器等の排水機器からの排水を処理する排水配管において、排水機器から床下配管に到る配管中に、封水部を形成して下水側からの臭気や害虫類が屋内側に侵入することを防止する、排水トラップを配管することがよく知られている。
【０００３】
図１１に示した排水トラップ（特許文献１など）や、図１２に示した排水トラップ（特許文献２など）は、椀トラップと呼ばれる種類の排水トラップで、流入口と連通したパイプ管の下端を、排水トラップのケーシング内に設けた、上方に開口した椀体内に配置することで、椀体内に排水溜まりである封水部を形成し、該封水によって、下水側からの臭気や害虫類が屋内側に侵入することを防止している。
【０００４】
また、図１３に示した排水トラップは、管トラップと呼ばれる種類の排水トラップで、排水用の管体を略横Ｓ字状又は略横Ｐ字状に屈曲させ、屈曲部分に排水溜まりである封水部を形成して、該封水によって、下水側からの臭気や害虫類が屋内側に侵入することを防止している。
【０００５】
これらの排水トラップは、先に記載したように、浴槽、流し、洗面台、トイレ傍の手洗い器等の排水機器から、パイプ管やホース管、又は継手管などを介して、排水を下水側に排出する床下配管に配管されている。
【０００６】
床下配管は、生活空間の床面から、コンクリート等の養生面のような配管用の床面との間の床下空間に配管されるものであって、水平面に対し１度乃至２度程度の若干の勾配を有するものの、ほぼ水平方向に沿って配管された排水主管と、該排水主管と排水トラップとを接続する枝管部とからなり、更にその下流側は縦管等によって下水道等に連通されている。
【０００７】
【特許文献１】
特開２００１−９８６０３号公報（第１図乃至第２図）
【特許文献２】
特開２００１−１５２５０７号公報（第１図乃至第４図）
【特許文献３】
特開平８−３３３７８４号公報（第１図乃至第２図）
【０００８】
【発明が解決しようとする課題】
上記のような排水トラップが、下水側からの臭気や害虫類が屋内側に侵入することを防止するという機能を充分に発揮するためには、封水部内に充分な封水が溜められて、排水流路中を封水によって空気が通気できないような状態となっている必要がある。
このためには、封水部に排水を導く部材の下端から、封水が溢れ出る封水部の上端までの高さ幅（以下、「封水深」と呼ぶ）が長い方が有利である。しかし、排水が排出される際には、排水は封水部を上方に上昇しなければならないため、封水深が長くなることは排水の流れ方としては悪化の方向に作用し、この点からは封水深が短い方が有利である。
実際の排水トラップの設計の仕様や、日本工業規格（ＪＩＳ規格）では、上記の封水確保と排水性能確保のバランスから、封水深を、５０ミリメートル以上、１００ミリメートル以下となるように設計している。
【０００９】
ところで、排水が緩やかに流れるのであれば、排水トラップの封水部には、常に流れ込んだ量に等しい量の排水が溢れるだけであって、封水部は常に充分な量の封水で満たされていることになる。
しかし、実際にこれらの排水トラップを利用すると、排水の流れが、サイホン現象と呼ばれる空気の引き込み現象を生じ、排水時に、封水部中の封水が引き込まれて、封水の水面が封水部を形成する部材の下端よりも低くなってしまい、排水流路中を空気が通気できる状態（以下、「破封状態」と呼ぶ）になってしまうことがある。サイホン現象の例としては、次の１．、２．のようなものがあり、１．は自己の排水によって発生するため自己サイホン、２．は他の排水装置によって発生するため誘導サイホン、とそれぞれ呼ばれている。
１．排水トラップ自身の排水が流れるときに、排水が配管の下流側の空気を巻き込んで流れるため、その分配管の上流側が負圧となり、配管の上流にある排水トラップの封水部に負圧が作用して、破封状態が発生する。
２．排水主管に、枝管を介して接続されている配管のどれか一つに排水があって、排水主管中に排水が流れるとき、排水主管中の排水が、排水主管の下流側の空気を巻き込んで流れるため、その分排水主管の上流側が負圧となり、配管の上流にある排水トラップの封水部に負圧が作用して、破封状態が発生する。
【００１０】
上記段落０００３に記載したような椀トラップと呼ばれる排水トラップの場合、図１１の従来例や、図１２の従来例のように、椀体の開口を、椀体の途中部分の水平方向の断面積よりも小さくすることで、封水が必要以上に引き込まれることを防止し、破封状態が生じないようにする方法が考案されている。
【００１１】
しかしながら、上記段落０００４に記載したような管トラップと呼ばれる排水トラップの場合には、上記のような破封状態を防止する適切な方法は未だ考案されておらず、上記したサイホン現象によって、しばしば破封状態が発生していた。
本発明は上記問題点に鑑み考案されたものであって、管トラップを含む全ての排水トラップに応用でき、サイホン現象によって排水の引き込みが生じても、破封状態を生じることが殆どなく、且つ排水性能を悪化しないようにすることができる排水トラップを提供するものである。
【００１２】
【課題を解決するための手段】
請求項１に記載の本発明は、排水機器からの排水が流入する流入口（１）と、排水を下水側に流出する流出口（２）と、流入口（１）から流出口（２）までの間に形成される排水流路と、排水流路上に設けられる封水部と、からなる排水トラップにおいて、排水流路の、少なくとも封水部（Ｔ）の一部を含む部分を複数に分岐させて分岐流路を形成し、且つ全ての分岐流路を、流出口（２）に到るまでに一つの流路に合流させ、更に、複数ある分岐流路の少なくとも一つの分岐流路に、その分岐流路の排水性能を、他の分岐流路に比べて低下させる排水性低下構造を設けたことを特徴とする排水トラップである。
【００１３】
請求項２に記載の本発明は、上記段落００１２に記載の排水トラップにおいて、排水トラップを、流入口（１）からの排水が下方に向かって流れる第一下り流路（３）と、第一下り流路（３）下端に連通した、排水が横方向に流れる第一横流路（４）と、下端において第一横流路（４）に連通した、排水が上方に流れる第一上り流路（５）と、第一上り流路（５）上端に連通した、排水が横方向に流れる第二横流路（６）と、から構成し、更に、下端が第一横流路（４）上の任意の位置に連通して設けられた第二上り流路（７）を設けて排水流路を分岐させ、上記第二上り流路（７）上端に連通して設けられた、第二横流路（６）と連通する第三横流路（８）を設けて排水流路を合流させたことを特徴とする排水トラップである。
【００１４】
請求項３に記載の本発明は、上記段落００１２に記載の排水トラップにおいて、排水トラップの排水流路を、管体によって構成したことを特徴とする排水トラップである。
【００１５】
請求項４に記載の本発明は、上記段落００１２に記載の排水トラップにおいて、排水トラップを、上面に流入口（１）を、側面に流出口（２）を、また流入口（１）の直下には有底円筒形状の椀体（１０）を備えたケーシング体（９）と、上下に開口した円筒体であって、上方の開口は流入口（１）に水密的に連通し、また下方の開口は椀体（１０）内に配置されるパイプ管（１１）と、から構成し、更に椀体（１０）内であって、椀体（１０）内の排水流路を二つに分離させる分岐壁（１２）を、椀体（１０）の底面から上端まで設けて排水流路を分岐させた後、椀体（１０）の上端から流出口（２）に到るまでに分岐壁（１２）によって分岐された分岐流路を合流させたことを特徴とする排水トラップである。
【００１６】
請求項５に記載の本発明は、上記段落００１３又は段落００１４に記載の排水トラップにおいて、排水性低下機構として、排水性能を低下させる側の分岐流路の、封水部（Ｔ）の上端を、排水性能を低下させない側の分岐流路の、封水部（Ｔ）の上端よりも高い高さ位置に設けたことを特徴とする排水トラップである。
【００１７】
請求項６に記載の本発明は、上記段落００１３又は段落００１４に記載の排水トラップにおいて、排水性低下構造として、排水性能を低下させる分岐流路に、排水が通水可能な面積を減少させる絞り部（１４）を設けたことを特徴とする排水トラップである。
【００１８】
請求項７に記載の本発明は、上記段落００１２乃至段落００１７のいずれか一つに記載の排水トラップにおいて、排水トラップの流出口（２）を、複数の排水機器の排水を下水側に排出する床下配管に接続したことを特徴とする排水トラップである。
【００１９】
【実施例】
以下に本発明の第一実施例を、図面を参照しつつ説明する。
図１また図２に示した、本発明の第一実施例の排水トラップは、各流路を管体によって構成されており、その詳細な構成は、上端に流入口（１）を備えた、下方に向かって排水が流れる第一下り流路（３）と、第一下り流路（３）下端に連通した、排水が横方向に流れる第一横流路（４）と、下端において第一横流路（４）に連通した、排水が上方に流れる第一上り流路（５）と、第一上り流路（５）上端に連通した、排水が横方向に流れる第二横流路（６）と、上端において第二横流路（６）に連通し、また下端において流出口（２）を設けた、排水が下方に流れる第二下り流路（１３）と、から構成し、更に、下端が第一横流路（４）上の任意の位置に連通して設けられた第二上り流路（７）を設けて排水流路を分岐させ、上記第二上り流路（７）上端に連通して設けられた、第二横流路（６）と連通する第三横流路（８）を設けて排水流路を合流させてなる。
また、第二横流路（６）と第三横流路（８）は平面視及び側面視直線状に設けてなるとともに、第二横流路（６）の下端面の壁部分と、第三横流路（８）の下端面の壁部分とは同じ高さに設けられてなる。
なお、上記構成の排水トラップでは、第一下り流路（３）、第一横流路（４）、第一上り流路（５）、及び第二上り流路（７）の、第二横流路（６）下端よりも低い高さ位置の部分に封水が溜まって、封水部（Ｔ）を形成する。
【００２０】
上記した排水トラップは、上流側を以下のように構成された排水機器である洗面台（Ｗ）に接続され、また下流側を同じく以下のように構成された排水機器である床下配管に接続されてなる。
洗面台（Ｗ）は、図２に示したように、吐水を溜めることができる槽体部（ｗ１）と、槽体部（ｗ１）下方に設けられた排水トラップ等を内部に収納するキャビネット部（ｗ２）、及び該槽体部（ｗ１）の底面に取り付けられた、排水口を備えた排水栓（ｗ３）と、からなり、該排水栓（ｗ３）が排水トラップの第一下り流路（３）の上流側に連通して接続される。
床下配管は、図３に示したように、生活空間の床面から、コンクリート等の養生面のような配管用の床面との間の床下空間に配管されるものであって、水平面に対し１度乃至２度程度の若干の勾配を有するものの、ほぼ水平方向に沿って配管された排水主管（Ｐ１）と、該排水主管（Ｐ１）と排水トラップの第二下り流路（１３）とを接続する枝管部（Ｐ２）とからなり、更にその下流側は縦管等によって下水道等に連通されている。
なお、上記の枝管部（Ｐ２）は排水主管（Ｐ１）に複数設けられ、上記した洗面台（Ｗ）の排水トラップの他に、例えば浴槽、流し、トイレの手洗い器等の他の排水機器に取り付けられた排水装置と連通されてなる。
【００２１】
上記した洗面台（Ｗ）等の排水機器と、排水トラップと、床下配管と、から構成された排水配管において、洗面台（Ｗ）に排水が生じた場合、
排水は槽体部（ｗ１）から排水栓（ｗ３）を介して排水トラップ内に流入し、
第一下り流路（３）から第一横流路（４）を流れ、更に第一上り流路（５）か、又は第二上り流路（７）乃至第三横流路（８）のいずれか一方を流れて第二横流路（６）に到り、更に第二横流路（６）から第二下り流路（１３）を介して枝管部（Ｐ２）に流入し、最終的に排水主管（Ｐ１）から下水側に排出される。
【００２２】
上記した第一実施例の排水トラップにおいて、分岐した第一上り流路（５）を流れる排水流路と、第二上り流路（７）を流れる排水流路における、排水の流れ易さを比較すると、第一上り流路（５）側の排水流路では、下から上に排水が溜まってゆく際の水圧の力の他に、第二横流路（６）を完全に通過した後、第一上り流路（５）の下端側面に排水が衝突して流れを変更されるため、流れの勢いを利用して排水が第一上り流路（５）内を上昇することができる。第一下り流路（３）から、この第一上り流路（５）を介して下水側に流れる排水の流れは、従来例の排水トラップにおける排水の流れ方とほぼ同様であり、従ってその排水性能や、封水の流出のし易さも従来の排水トラップのそれとほとんど同じである。
これに対し、排水の流れを利用して第二上り流路（７）を上昇しようとする場合、第二横流路（６）の途中部分で一端横方向への流れを止め、流れの方向を上方に変更してから、第二上り流路（７）内を上昇しなければならない。実際には、第二横流路（６）の途中部分で一端横方向への流れが止まることはほぼあり得ないので、排水の流れの勢いを利用して排水が第二上り流路（７）内を上昇することはほとんど不可能であり、この第二上り流路（７）においては、排水が下から上に排水が溜まってゆく水圧の力のみによって排水が上昇してゆく。
このように、分岐流路の関係にある、第一上り流路（５）側の流路と第二上り流路（７）側の流路とについて、排水流路の配置的な要因によって、第二上り流路（７）側の流路の排水性能を、第一上り流路（５）側の流路に比べて低下させる構成になっている（即ち、排水流路の配置的な要因によって排水性低下構造を達成している）。
【００２３】
排水が排水トラップを介して下水側に排出されるまでの間、封水部（Ｔ）の下流側（第二横流路（６）よりも下流側）には自己サイホンによって負圧が作用するため、封水部（Ｔ）には封水を下水側に排出しようとする力が働くが、上記段落００２２に記載したような理由から、第二横流路（６）との接続部分において、第二上り流路（７）を通る排水流路の方が、第一上り流路（５）を通る排水流路よりも流れにくく、従ってサイホン現象による封水の流出も第二上り流路（７）を通る排水流路の方が、より少なくて済む。
【００２４】
また、第二横流路（６）と第三横流路（８）は直線状に設けられているため、第二横流路（６）からの距離は、第二上り流路（７）の方が、第一上り流路（５）よりも、第三横流路（８）の長さ分離れたところに形成されており、その長さ分だけ距離があるため、第一上り流路（５）と比べて第二上り流路（７）は負圧の作用が緩和される。この点からも、第二上り流路（７）を通る排水流路の方が、第一上り流路（５）を通る排水流路よりも流れにくく、従ってサイホン現象による封水の流出も第二上り流路（７）を通る排水流路の方が、より少なくて済む。
【００２５】
排水が完了し、サイホン現象が終了すると、第一上り流路（５）と第二上り流路（７）は、第一横流路（４）において連通しているため、その内部に溜められている封水の水面は等しい高さ位置となる。前述のように、第一上り流路（５）の封水の流出量は従来の排水トラップの流出量とほぼ同じで、第二上り流路（７）の封水の流出量は第一上り流路（５）の流出量よりも少ないことから、排水が完了して第一上り流路（５）と第二上り流路（７）の封水の水面が同じ高さになったときの、第一横流路（４）上端から封水の水面までの高さは、従来の排水トラップの排水完了時の、第一横流路（４）上から封水の水面までの高さよりも高い高さ位置となり、その分破封状態が生じにくい排水トラップとなっている。なお、上記実施例では自己サイホンに関しての破封防止について記載しているが、誘導サイホンに関しても、同様の理由から、同様の効果を得ることができる。
【００２６】
次に、本発明の第二実施例を、図面を参照しつつ説明する。
図４また図５に示した、本発明の第二実施例の排水トラップは、各流路を管体によって構成されており、その詳細な構成は、上端に流入口（１）を備えた、下方に向かって排水が流れる第一下り流路（３）と、第一下り流路（３）下端に連通した、排水が横方向に流れる第一横流路（４）と、下端において第一横流路（４）に連通した、排水が上方に流れる第一上り流路（５）と、第一上り流路（５）上端に連通した、排水が横方向に流れる第二横流路（６）と、上端において第二横流路（６）に連通し、また下端において流出口（２）を設けた、排水が下方に流れる第二下り流路（１３）と、から構成し、更に、下端が第一横流路（４）上の任意の位置に連通して設けられた第二上り流路（７）を設けて排水流路を分岐させ、上記第二上り流路（７）上端に連通して設けられた、第二横流路（６）と連通する第三横流路（８）を設けて排水流路を合流させてなる。
また、第二横流路（６）と第三横流路（８）を直線状に設けてなるとともに、第二横流路（６）の下端面の壁部分と、第三横流路（８）の下端面の壁部分とは、第三横流路（８）の下端面の壁部分の方を若干（５ミリメートル程度）高く形成してなる。
また、第二上り流路（７）の下端部分、第一横流路（４）との接合箇所に、第一横流路（４）の上流側の上壁部を第二上り流路（７）の中心に向かって突出させるようにして、排水の通水部分の面積を減少させた、絞り部（１４）を設けてなる。
なお、上記構成の排水トラップでは、第一下り流路（３）、第一横流路（４）、第一上り流路（５）の、第二横流路（６）下端よりも低い高さ位置の部分に封水が溜まって、封水部（Ｔ）を形成する。
【００２７】
上記した排水トラップは、上流側を、上記段落００２０に記載された、第一実施例の排水機器である洗面台（Ｗ）と同様の洗面台（Ｗ）に接続され、また下流側を、同じく上記段落００２０に記載された、第一実施例の床下配管と同様の床下配管に接続されてなる。
【００２８】
上記した洗面台（Ｗ）等の排水機器と、排水トラップと、床下配管と、から構成された排水配管において、洗面台（Ｗ）に排水が生じた場合、排水は槽体部（ｗ１）から排水栓（ｗ３）を介して排水トラップ内に流入し、第一下り流路（３）から第一横流路（４）を流れ、更に第一上り流路（５）か、又は第二上り流路（７）乃至第三横流路（８）のいずれか一方を流れて第二横流路（６）に到り、更に第二横流路（６）から第二下り流路（１３）を介して枝管部（Ｐ２）に流入し、最終的に排水主管（Ｐ１）から下水側に排出される。
【００２９】
また、上記第二実施例の排水トラップは、段落００１９に記載した構成を有しているから、上記段落００２２乃至段落００２４に記載した作用を生じ、段落００２５に記載した効果を備えている。
【００３０】
更に上記第二実施例の排水トラップにおいては、第二横流路（６）と第三横流路（８）を直線状に設けてなるとともに、排水性低下構造として、第二横流路（６）の下端面の壁部分と、第三横流路（８）の下端面の壁部分とは、第三横流路（８）の下端面の壁部分の方を若干高く形成してなるため、第二上り流路（７）乃至第三横流路（８）を通過する排水は、第一上り流路（５）を通過する排水よりも排水性能が低下している。
更に上記第二実施例の排水トラップにおいては、排水性低下構造として、第二上り流路（７）の下端部分、第一横流路（４）との接合箇所に、第一横流路（４）の上流側の上壁部を突出させるようにして排水の流水面積を減少させた絞り部（１４）を設けてなるため、流れ方向、また通水面積的にも、第二上り流路（７）乃至第三横流路（８）を通過する排水は、第一上り流路（５）を通過する排水よりも排水性能が低下している。
これらの理由から、第一実施例の排水トラップと比較して、第二上り流路（７）乃至第三横流路（８）を通過する排水の排水性能は更に低下しており、その分、サイホン現象によって生じた負圧のため失われる第二上り流路（７）乃至第三横流路（８）内の封水は減少して、排水トラップの破封が発生しにくくなっている。
【００３１】
次に、本発明の第三実施例を、図面を参照しつつ説明する。
図５また図６に示した、本発明の第三実施例の排水トラップは、ケーシング体（９）の内部に配置された、上端又は下端が解放された複数の円筒状の隔壁によって構成されている。
その詳細な構成は、上面に流入口（１）を、側面に流出口（２）を、また流入口（１）の直下には有底円筒形状の椀体（１０）を備えたケーシング体（９）と、上下に開口した円筒体であって、上方の開口は流入口（１）に水密的に連通し、また下方の開口は椀体（１０）内に配置されるパイプ管（１１）と、から構成されてなり、更に、椀体（１０）内であって、椀体（１０）の中心軸を通過し、且つ流出口（２）の軸に対して垂直な位置に、椀体（１０）内の排水流路を二つに分離させる分岐壁（１２）を、椀体（１０）の底面から上端まで垂立させ、分岐された排水流路のうち、流出口（２）から距離がある側の分岐流路の、椀体（１０）の上端に、排水性能を低下させる排水性低下構造として絞り部（１４）を設けてなる。
排水トラップ内は、上記のように区画されているため、パイプ管（１１）内が第一下り流路（３）、椀体（１０）の底面上であって、パイプ管（１１）の下端までの高さ位置が第一横流路（４）、椀体（１０）の内面からパイプ管（１１）までの間の流路であって、分岐壁（１２）によって隔てられている二つの流路のうち、流出口（２）に近い側の流路が第一上り流路（５）、遠い方が第二上り流路（７）であり、第二上り流路（７）の上端から第一上り流路（５）の上端に到るまでが第三横流路（８）、また第一上り流路（５）の上端から流出口（２）に到るまでが第二横流路（６）としてそれぞれ機能する。
【００３２】
上記した排水トラップは、図３に示したような、パイプ管（１１）の上流側を排水機器である浴槽パン（Ｂ）に接続され、また流出口（２）の下流側を床下配管の枝管部（Ｐ２）に接続されてなる。
【００３３】
上記した浴槽パン（Ｂ）等の排水機器と、排水トラップと、床下配管と、から構成された排水配管において、浴槽パン（Ｂ）に排水が生じた場合、排水はパイプ管（１１）を介して排水トラップ内に流入し、第一下り流路（３）から第一横流路（４）を流れ、更に第一上り流路（５）か、又は第二上り流路（７）乃至第三横流路（８）のいずれか一方を流れて第二横流路（６）に到り、更に第二横流路（６）から第二下り流路（１３）を介して枝管部（Ｐ２）に流入し、最終的に排水主管（Ｐ１）から下水側に排出される。
【００３４】
上記した第一実施例の排水トラップにおいて、分岐した第一上り流路（５）を流れる排水流路と、第二上り流路（７）を流れる排水流路における、排水の流れ易さを比較すると、第二上り流路（７）側は第二上り流路（７）の上端に絞り部（１４）を設けているため、第二上り流路（７）側の流路の排水性能を、第一上り流路（５）側の流路に比べて低下させる構成になっている。
【００３５】
排水が排水トラップを介して下水側に排出されるまでの間、封水部（Ｔ）の下流側（第二横流路（６）よりも下流側）には自己サイホンによって負圧が作用するため、封水部（Ｔ）には封水を下水側に排出しようとする力が働くが、上記段落００３４に記載したような理由から、第二横流路（６）との接続部分において、第二上り流路（７）を通る排水流路の方が、第一上り流路（５）を通る排水流路よりも流れにくく、従ってサイホン現象による封水の流出も第二上り流路（７）を通る排水流路の方が、より少なくて済む。
【００３６】
また、第二横流路（６）から流出口（２）に到る分岐流路と、第三横流路（８）から第二横流路（６）を介し流出口（２）に到る分岐流路と、との距離は、第三横流路（８）から流出口（２）に到る分岐流路の方が明らかに距離があるため、第三横流路（８）を通過する方が、第三横流路（８）を通過しない分岐流路と比べて負圧の作用が緩和される。この点からも、第二上り流路（７）を通る排水流路の方が、第一上り流路（５）を通る排水流路よりも流れにくく、従ってサイホン現象による封水の流出も第二上り流路（７）を通る排水流路の方が、より少なくて済む。
【００３７】
排水が完了し、サイホン現象が終了すると、第一上り流路（５）と第二上り流路（７）は、第一横流路（４）において連通しているため、その内部に溜められている封水の水面は等しい高さ位置となる。前述のように、第一上り流路（５）の封水の流出量は従来の排水トラップの流出量とほぼ同じで、第二上り流路（７）の封水の流出量は第一上り流路（５）の流出量よりも少ないことから、排水が完了して第一上り流路（５）と第二上り流路（７）の封水の水面が同じ高さになったときの、第一横流路（４）上端から封水の水面までの高さは、従来の排水トラップの排水完了時の、第一横流路（４）上から封水の水面までの高さよりも高い高さ位置となり、その分破封現象が生じにくい排水トラップとなっている。
なお、上記実施例では自己サイホンに関しての破封防止について記載しているが、誘導サイホンに関しても、同様の理由から、同様の効果を得ることができる。
【００３８】
本発明の実施例は上記のようであるが、本発明は上記実施例に限定されるものではなく、発明の要旨を変更しない範囲で、自由にその構成を変更することが可能である。
例えば、本発明を採用する排水トラップとして、上記各実施例には管トラップや椀トラップを記載しているが、これらの他に、図７及び図８に示したような、ランニングトラップと呼ばれる排水トラップを用いて本発明を実施しても良い。
ランニングトラップの場合、図７の断面図のように、略長方体からなる躯体の、上面に流入口（１）、側面に流出口（２）を設け、且つ流入口（１）から流出口（２）に到る排水流路に、上下方向に隔壁を設けて封水部（Ｔ）を形成するものである。更にこの実施例においては、図８に示したように、排水トラップ内の流入口（１）から流出口（２）にかけて、排水流路を分岐させる分岐壁（１２）を設けて、二つの分岐流路を形成し、更にその一方に水平方向の幅が狭くなる絞り部（１４）を設けて排水性能を低下させてなる。このような構成とすることで、上記したランニングトラップと呼ばれる排水トラップにおいても、本発明において要求されている効果を得ることができ、本発明の目的を達成することができる。
【００３９】
また、上記第一また第二実施例においては、排水トラップの形状を、第二横流路（６）の下流側に第二下り流路（１３）を連通した、略横Ｓ字状の形状としているが、図９に示した実施例のように、排水トラップから第二下り流路（１３）を省略した形状として構成しても本発明の目的を達成することができる。
【００４０】
また、上記第一また第二実施例においては、排水トラップを、管体を屈曲させることで構成しているが、図１０に示した実施例のように、排水トラップの一部を略直方体からなる躯体によって形成し、更に該躯体に壁面を設けて排水流路を形成する管体としても本発明の目的を達成することができる。本発明は上記のように、本発明の要旨を満たす位置関係に排水流路を形成する管体としての機能を有していれば、流路の形状について特に何らかの限定を課すものではない。
【００４１】
また、上記第三実施例においては、排水トラップを、有底筒状の椀体（１０）内に、上端が流入口（１）に連通したパイプ管（１１）の下端を配置することで椀トラップと呼ばれる排水トラップを構成して本発明を実施している。これに対して、上面に流入口（１）を設けたケーシング体（９）の底面から、下端が流出口（２）に連通したパイプ管（１１）を垂立させ、該パイプ管（１１）の上端に、有底筒状の椀体（１０）を、下方を開口させた状態で覆い被せて構成する、所謂逆椀式の排水トラップに本発明を採用しても良い。上記のようにしても、本発明の目的を達成することができる。
【００４２】
【発明の効果】
本願発明の排水トラップは、以下の効果を奏する。
１．本発明の排水トラップは、各種の排水トラップにおいて、サイホン現象によって負圧が発生し、封水の引き込みが生じても、破封し難い排水トラップとすることができる。
２．本発明の排水トラップは、排水流路における通水面積が従来と同等か、従来より分岐流路を設けた分だけ増加させて構成することも可能なため、１．の効果を有しつつ、且つ排水性能が悪化することもない排水トラップを提供できる。
３．請求項７に記載の本発明の排水トラップは、上記１．に記載の効果を誘導サイホンが生じるような排水配管においても活用することができる。
【図面の簡単な説明】
【図１】本発明の第一実施例の断面図である。
【図２】本発明の第一実施例の排水トラップを採用した洗面台の正面図である。
【図３】排水配管を示す、床面を省略した参考図である。
【図４】本発明の第二実施例の断面図である。
【図５】本発明の第二実施例の排水トラップを採用した洗面台の正面図である。
【図６】本発明の第三実施例の断面図である。
【図７】本発明を採用したランニングトラップを示す、分岐壁を省略した断面図である。
【図８】図７の排水トラップを、Ａ−Ａ‘線で切断した斜視図である。
【図９】本発明の、略横Ｐ字型の排水トラップの実施例を示す断面図である。
【図１０】本発明の、直方体からなる排水トラップの実施例を示す断面図である。
【図１１】従来の排水トラップを示す断面図である。
【図１２】従来の排水トラップを示す断面図である。
【図１３】従来の排水トラップを示す断面図である。
【符号の説明】
１    流入口              ２    流出口
３    第一下り流路        ４    第一横流路
５    第一上り流路        ６    第二横流路
７    第二上り流路        ８    第三横流路
９    ケーシング体        １０  椀体
１１  パイプ管            １２  分岐壁
１３    第二下り流路      １４  絞り部
Ｂ    浴槽パン            Ｔ    封水部
Ｐ１  排水主管            Ｐ２  枝管部
Ｗ    洗面台              ｗ１  槽体部
ｗ２  キャビネット部      ｗ３  排水栓
【図１】
2004183336.tif 000003
【図２】
2004183336.tif 000004
【図３】
2004183336.tif 000005
【図４】
2004183336.tif 000006
【図５】
2004183336.tif 000007
【図６】
2004183336.tif 000008
【図７】
2004183336.tif 000009
【図８】
2004183336.tif 000010
【図９】
2004183336.tif 000011
【図１０】
2004183336.tif 000012
【図１１】
2004183336.tif 000013
【図１２】
2004183336.tif 000014
【図１３】
2004183336.tif 000015